(57)【要約】【課題】アルバムに専用の装置を設けることなく写真と音声の両方を簡便に鑑賞できるようにする。【解決手段】コード発行部１１は、二次元コードを対応させるべき画像Ｉｎを操作部２から指定させ、指定された画像Ｉｎに対応する二次元コードｑｎを発行する。この二次元コードｑｎには、コンテンツ登録配信装置４００にアクセスするための情報であるアクセス情報及び各二次元コードｑｎを識別するための一意的な識別情報が埋め込まれている。アルバム作成部１２は、指定されたレイアウトに従ってアルバム５００を構成する各頁に画像Ｉｎを配置し、かつ発行された二次元コードｑｎを、対応する画像Ｉｎの近傍に配置してプリンタ２００にプリントさせるためのプリントデータを作成してプリンタ２００に出力する。【選択図】  図１
2006099456.tif 000002
【特許請求の範囲】
【請求項１】
コンテンツの登録を受け付ける登録部と、前記登録されたコンテンツを配信する配信部とを有するコンテンツ登録配信装置と、
画像を入力する画像入力部と、前記コンテンツ登録配信装置へのアクセス先を埋め込んだ二次元コードを前記画像に対応させて発行する二次元コード発行部と、前記画像に対応する二次元コードを前記画像の近傍に配置したアルバムをプリントするプリント部とを有するコンテンツ登録配信機能付きアルバム作成装置と、
を備えるコンテンツ登録配信機能付きアルバム提供システム。
【請求項２】
前記コンテンツは音声又は動画である請求項１に記載のコンテンツ登録配信機能付きアルバム提供システム。
【請求項３】
コンテンツの登録を受け付ける登録部と、前記登録されたコンテンツを配信する配信部とを有するコンテンツ登録配信装置へのアクセス先を埋め込んだアルバムを作成するコンテンツ登録配信機能付きアルバム作成装置であって、
画像を入力する画像入力部と、
前記コンテンツ登録配信装置へのアクセス先を埋め込んだ二次元コードを前記画像に対応させて発行する二次元コード発行部と、
前記画像に対応する二次元コードを前記画像の近傍に配置したアルバムをプリントするプリント部と、
を有するコンテンツ登録配信機能付きアルバム作成装置。
【請求項４】
コンテンツの登録を受け付ける登録部と、前記登録されたコンテンツを配信する配信部とを有するコンテンツ登録配信装置へのアクセス先を埋め込んだアルバムを作成するコンテンツ登録配信機能付きアルバム作成方法であって、
画像を入力する画像入力ステップと、
前記コンテンツ登録配信装置へのアクセス先を埋め込んだ二次元コードを前記画像に対応させて発行する二次元コード発行ステップと、
前記画像に対応する二次元コードを前記画像の近傍に配置したアルバムをプリントするプリントステップと、
を含むコンテンツ登録配信機能付きアルバム作成方法。
【請求項５】
コンテンツの登録を受け付ける登録部と、前記登録されたコンテンツを配信する配信部とを有するコンテンツ登録配信装置へのアクセス先を埋め込んだアルバムを作成するためのコンテンツ登録配信機能付きアルバム作成プログラムであって、
画像を入力する画像入力ステップと、
前記コンテンツ登録配信装置へのアクセス先を埋め込んだ二次元コードを前記画像に対応させて発行する二次元コード発行ステップと、
前記画像に対応する二次元コードを前記画像の近傍に配置したアルバムをプリントするプリントステップと、
をコンピュータに実行させるコンテンツ登録配信機能付きアルバム作成プログラム。
【発明の詳細な説明】
【技術分野】
【０００１】
本発明はコンテンツ登録配信機能付きアルバム提供システムに係り、特にアルバムに掲載された画像に対応したコンテンツの登録・配信が可能なシステムに関する。
【背景技術】
【０００２】
従来、各種の撮像装置で撮影された画像を所望の順序に配置してアルバムを得させる技術が開発されている。例えば特許文献１の電子アルバム編集装置は、画像データおよび該画像データに対応する音声データを取り込む画像／音声データＩ／Ｆ手段と、画像データおよび前記音声データを管理保存する記録手段と、音声データをテキストデータに変換するための音声データ変換手段と、テキストデータに基づいて画像データの検索、ソートを行うための検索・ソート手段と、ソート結果に基づいて画像を配置してアルバムを作成するアルバム作成手段と、を備える。
【特許文献１】特開２００４−２０６４４７号公報
【発明の開示】
【発明が解決しようとする課題】
【０００３】
ところが、特許文献１の技術では、音声はテキストで変換された状態でしか鑑賞することができない。画像とともに音声を楽しめるようにするためには、アルバム中にスピーカなどの音声再生装置を設けることも考えられるが、アルバムの構成が複雑となり取り扱いに不便であるし、アルバム作成のコストも増加し現実的ではない。本発明はこのような問題点に鑑みてなされたもので、アルバムに専用の装置を設けることなく写真と音声の両方を簡便に鑑賞できるようにすることを目的とする。
【課題を解決するための手段】
【０００４】
上述の課題を解決するため、本願発明に係るコンテンツ登録配信機能付きアルバム提供システムは、コンテンツの登録を受け付ける登録部と、前記登録されたコンテンツを配信する配信部とを有するコンテンツ登録配信装置と、画像を入力する画像入力部と、前記コンテンツ登録配信装置へのアクセス先を埋め込んだ二次元コードを前記画像に対応させて発行する二次元コード発行部と、前記画像に対応する二次元コードを前記画像の近傍に配置したアルバムをプリントするプリント部とを有するコンテンツ登録配信機能付きアルバム作成装置と、を備える。
【０００５】
コンテンツ登録配信機能付きアルバム作成装置によりアルバムを作成したユーザは、画像の近傍に配置された二次元コードを携帯電話機やＰＤＡなどの二次元コードリーダ付き携帯端末で読み取ってコンテンツ登録配信装置にアクセスし、所望のコンテンツを所望の画像に対応させて自由に登録することができる。そして、コンテンツを登録したユーザ又はその他のユーザは、画像の近傍に配置された二次元コードを二次元コードリーダ付き携帯端末で読み込むことによってコンテンツ登録配信装置にアクセスし、登録されたコンテンツの配信を受けることができる。コンテンツは、製本されたアルバムでは鑑賞できない音声又は動画が挙げられるが、静止画やテキストなどデータとして送信できるものであれば何でもよい。
【０００６】
本願発明に係るコンテンツ登録配信機能付きアルバム作成装置は、コンテンツの登録を受け付ける登録部と、前記登録されたコンテンツを配信する配信部とを有するコンテンツ登録配信装置へのアクセス先を埋め込んだアルバムを作成するコンテンツ登録配信機能付きアルバム作成装置であって、画像を入力する画像入力部と、前記コンテンツ登録配信装置へのアクセス先を埋め込んだ二次元コードを前記画像に対応させて発行する二次元コード発行部と、前記画像に対応する二次元コードを前記画像の近傍に配置したアルバムをプリントするプリント部と、を有する。
【０００７】
本願発明に係るコンテンツ登録配信機能付きアルバム作成方法は、コンテンツの登録を受け付ける登録部と、前記登録されたコンテンツを配信する配信部とを有するコンテンツ登録配信装置へのアクセス先を埋め込んだアルバムを作成するコンテンツ登録配信機能付きアルバム作成方法であって、画像を入力する画像入力ステップと、前記コンテンツ登録配信装置へのアクセス先を埋め込んだ二次元コードを前記画像に対応させて発行する二次元コード発行ステップと、前記画像に対応する二次元コードを前記画像の近傍に配置したアルバムをプリントするプリントステップと、を含む。
【０００８】
本願発明に係るコンテンツ登録配信機能付きアルバム作成プログラムは、コンテンツの登録を受け付ける登録部と、前記登録されたコンテンツを配信する配信部とを有するコンテンツ登録配信装置へのアクセス先を埋め込んだアルバムを作成するためのコンテンツ登録配信機能付きアルバム作成プログラムであって、画像を入力する画像入力ステップと、前記コンテンツ登録配信装置へのアクセス先を埋め込んだ二次元コードを前記画像に対応させて発行する二次元コード発行ステップと、前記画像に対応する二次元コードを前記画像の近傍に配置したアルバムをプリントするプリントステップと、をコンピュータに実行させる。
【０００９】
このコンテンツ登録配信機能付きアルバム作成プログラムは、上述のコンテンツ登録配信機能付きアルバム作成装置と同様の作用効果を奏する。このプログラムは、ＣＤ−ＲＯＭ、ＤＶＤ、ＭＯその他のコンピュータ読み取り可能な記録媒体に記録して提供してもよい。
【発明の効果】
【００１０】
コンテンツ登録配信機能付きアルバム作成装置によりアルバムを作成したユーザは、画像の近傍に配置された二次元コードを二次元コードリーダ付き携帯端末で読み取ってコンテンツ登録配信装置にアクセスし、所望のコンテンツを所望の画像に対応させて自由に登録することができる。そして、コンテンツを登録したユーザ又はその他のユーザは、画像の近傍に配置された二次元コードを二次元コードリーダ付き携帯端末で読み込むことによってコンテンツ登録配信装置にアクセスし、登録されたコンテンツの配信を受けることができる。
【発明を実施するための最良の形態】
【００１１】
以下、添付した図面を参照し本発明の好ましい実施の形態を説明する。
【００１２】
［概略構成］
図１は、本発明の好ましい実施形態に係るコンテンツ登録配信機能付きアルバム提供システムの概略機能構成図である。このシステムはアルバム作成装置１００とコンテンツ登録配信装置４００とを備えている。コンテンツ登録配信装置４００は、インターネットや移動体電話通信網などのネットワーク６００を介して携帯電話機３００ａ、３００ｂと接続されている。携帯電話機３００ａ、３００ｂは、アルバム５００にプリントされた画像Ｉｎ（ｎ＝１，２．．）の近傍にプリントされた二次元コードｑｎをコードリーダ３００ａで読み取ることでコンテンツ登録配信装置４００にアクセスすることができる。携帯電話機３００ａ、３００ｂは、保有するユーザが異なるだけで、ハードウェア構成に特段の差異はなく、両者を入れ換えてもよい。以下、特に断らない限り携帯電話機３００ａ、３００ｂをまとめて携帯電話機３００で表す。アルバム５００はアルバム作成装置１００によって作成され、出来上がったアルバム５００はユーザに有償・無償で提供される。
【００１３】
アルバム作成装置１００は、ＣＰＵで構成された処理部１、ポインティングデバイスやキーボードなどで構成された操作部２、コンパクトフラッシュ、スマートメディア、ＣＤ−ＲＯＭ、ＤＶＤなどの各種記憶媒体３ｂから画像データなどのデータを読み取って処理部１や記憶部４に入力するメディアリーダ３ａ、半導体メモリあるいはハードディスクなどで構成された記憶部４、プリンタ２００と処理部１を接続するシリアルコントローラ５を備えている。画像の入力形態は特に限定されず、図示しないデジタルカメラやスキャナをアルバム作成装置１００にＵＳＢやＳＣＳＩにより接続して画像を入力してもよい。
【００１４】
処理部１の実行するプログラムであるアルバム作成部１２は、操作部２の操作に応じて、入力された画像の中からアルバムに掲載する画像Ｉｎの選択や選択した画像Ｉｎのアルバムへのレイアウト（掲載頁や頁中の位置など）の指定を受け付ける。処理部１の実行するプログラムであるコード発行部１１は、二次元コードを対応させるべき画像Ｉｎを操作部２から指定させ、指定された画像Ｉｎに対応する二次元コードｑｎを発行する。この二次元コードｑｎには、コンテンツ登録配信装置４００にアクセスするための情報であるアクセス情報（ＵＲＬやＩＰアドレスなど）及び各二次元コードｑｎを識別するための一意的な識別情報が埋め込まれている。アルバム作成部１２は、指定されたレイアウトに従ってアルバム５００を構成する各頁に画像Ｉｎを配置し、かつ発行された二次元コードｑｎを、対応する画像Ｉｎの近傍に配置してプリンタ２００にプリントさせるためのプリントデータを作成してプリンタ２００に出力する。プリンタ２００は、プリントデータに従ってＴＡペーパーなどの各種印刷媒体に画像Ｉｎ及び二次元コードｑｎをプリントすることでアルバム５００を作成する。プログラムであるコード発行部１１及びアルバム作成部１２は記憶部４に記憶されているが、ＣＤ−ＲＯＭなどの記憶媒体３ｂに記憶させておき、メディアリーダ３ａから処理部１ないし記憶部４に適宜読み込んで実行してもよい。
【００１５】
図２はプリンタ２００によってプリントされたアルバム５００の外観を示している。この図では、製本された状態のアルバム５００の一ページが例示されている。各画像Ｉ１〜Ｉ３の近傍には、二次元コードであるｑ１〜ｑ３が配置されている。ｑ１〜ｑ３にはそれぞれ一意的な識別情報ｒ１〜ｒ３が埋め込まれている。識別情報ｒｎはコードリーダ３００ａあるいは３００ｂにより読み取ることができる。
【００１６】
再び図１を参照すると、コンテンツ登録配信装置４００は、登録部４１と、コンテンツＤＢ４２と、配信部４３とを備えている。登録部４１は、携帯電話機３００がある識別情報ｒｎ（ｎ＝１，２．．）が埋め込まれた二次元コードｑｎを読み取ってアクセスしてくると、その携帯電話機３００から通知される識別情報ｒｎに対応する音声・動画・静止画などのコンテンツの登録を受け付ける。登録されたコンテンツはその識別情報ｒｎと対応づけられてコンテンツＤＢ４２に記憶される。図３は識別情報ｒｎと登録されたコンテンツとが対応づけられてコンテンツＤＢ４２に記憶された状態を概念的に示している。ここでは、コンテンツは音声を記録したＷＡＶ形式ファイルとなっているが、コンテンツを音声に限定する趣旨ではなく、動画ファイル、静止画ファイル、テキストファイル、ハイパーテキストファイルなどであってもよい。一方、配信部４３は、携帯電話機３００がある二次元コードｑｎを読み取ってアクセスしてくると、その二次元コードｑｎに埋め込まれた識別情報ｒｎに対応するコンテンツを携帯電話機３００に配信する。例えば、コンテンツが音声の場合は、電話音声を移動体通信網を介して配信する。あるいは、配信部４３は、コンテンツを携帯電話機３００で実行可能な形式（例えば携帯電話機３００で実行すると動画・静止画・音声・文字が再生されるアプリケーション）に変換して携帯電話機３００に配信してもよい。なお、コンテンツを電話音声で配信する場合、登録配信装置４００は、公知のＣＴＩ（Computer Telephony Integration）サーバで構成できる。
【００１７】
［処理の流れ］
以下、携帯電話機３００とコンテンツ登録配信装置４００の間で実行される処理の流れを説明する。まず、図４のフローチャートに基づき、コンテンツ登録処理の流れを説明する。この処理では、携帯電話機３００ａから送信されたコンテンツがコンテンツＤＢ４２に登録される。
【００１８】
携帯電話機３００ａは、アルバム５００にプリントされたある二次元コードｑｎからアクセス情報をコードリーダ３００ａによって読み取ることでコンテンツ登録配信装置４００にアクセスし、また、二次元コードｑｎに埋め込まれた識別情報ｒｎを読み取ってコンテンツ登録配信装置４００に通知する（Ｓ１）。登録部４１は、携帯電話機３００ａから通知された識別情報ｒｎに対応するコンテンツがコンテンツＤＢ４２に登録されているか否かを判断する（Ｓ２）。登録されていない場合は識別情報ｒｎに対応するコンテンツを登録する記憶領域をコンテンツＤＢ４２内に確保する。一方、コンテンツが登録されている場合はこの処理を終了する。
【００１９】
コンテンツ登録用の記憶領域の確保後、携帯電話機３００ａは、コンテンツ登録配信装置４００に所望のコンテンツを送信する（Ｓ３）。例えば、コンテンツが音声の場合は、移動体通信網を介して送信された電話音声をコンテンツとして送信する。あるいは、コンテンツが文章である場合は、その文章を記述したテキストデータ又はハイパーテキストデータを送信する。あるいは、コンテンツが静止画・動画である場合は、静止画・動画ファイルを送信する。登録部４１は、携帯電話機３００ａの通知した識別情報ｒｎと受信したコンテンツとを対応づけてコンテンツＤＢ４２に記憶する（Ｓ４）。
【００２０】
以上の処理により、アルバム５００の提供を受けた携帯電話機３００ａのユーザは、所望のコンテンツを所望の画像に対応させて自由に登録することができる。一旦登録したコンテンツは上記の処理をやり直すことで何度でも変更できるようにしてもよいし、変更の回数を制限してもよい。また、登録するコンテンツは何でもよく、例えば、ある画像の被写体に関する情報や撮影時の状況などを音声メモとして登録してもよい。あるいは、画像が友人の結婚式の様子を撮影したものである場合、その友人に対する祝辞の音声やテキストを登録してもよい。
【００２１】
次に、図５のフローチャートに基づき、コンテンツ配信処理の流れを説明する。この処理では、コンテンツＤＢ４２に登録されたコンテンツが携帯電話機３００ｂに送信される。
【００２２】
携帯電話機３００ｂがアルバム５００にプリントされたある画像Ｉｎの近傍に配置された二次元コードｑｎに埋め込まれたアクセス情報をコードリーダ３００ｂによって読み取ってコンテンツ登録配信装置４００にアクセスすると、二次元コードｑｎに埋め込まれた識別情報ｒｎをコンテンツ登録配信装置４００に通知する（Ｓ１１）。
【００２３】
配信部４３は、携帯電話機３００ｂから通知された識別情報ｒｎに対応するコンテンツがコンテンツＤＢ４２に登録されているか否かを判断する（Ｓ１２）。登録されている場合はＳ１３に移行し、登録されていない場合はこの処理を終了する。
【００２４】
配信部４３は、アクセスしてきた携帯電話機３００ｂの通知した識別情報ｒｎに対応するコンテンツをコンテンツＤＢ４２から特定する。そして、配信部４３は、特定したコンテンツを携帯電話機３００ｂに配信する（Ｓ１３）。携帯電話機３００ｂは配信されたコンテンツを再生する（Ｓ１４）。例えば、コンテンツが音声ファイルとしてコンテンツＤＢ４２に記憶されている場合、配信部４３は、音声ファイルから音声を再生し、通話音声として携帯電話機３００に送信する。コンテンツが動画や静止画の場合、配信部４３は、携帯電話機３００ｂで実行可能な動画ファイル・静止画ファイルを携帯電話機３００ｂに送信する。
【００２５】
以上の処理により、アルバム５００の提供を受けた携帯電話機３００ｂのユーザは、画像と対応づけて登録されたコンテンツを、画像の近傍に配置された二次元コードを携帯電話機３００ｂによって読み取ることでいつでも配信させることができる。コンテンツの配信を受ける者は音声を登録した本人であってもよいし、他の者であってもよい。例えば、上述の音声メモでは音声を登録した本人が聞くことでその画像の被写体に関する情報や撮影状況を確認できる。また、上述のように結婚式の祝辞の音声やテキストを携帯電話機３００ａから登録した場合は、音声やテキストを登録した者が友人にアルバム５００を与えることで、その友人の保有する携帯電話機３００ｂから登録した祝辞を画像とともに聞かせ又は見せることができる。
【図面の簡単な説明】
【００２６】
【図１】コンテンツ登録配信機能付きアルバム提供システムの概略機能構成図
【図２】アルバムの外観を例示した図
【図３】コンテンツＤＢに記憶された情報の概念説明図
【図４】コンテンツ登録処理の流れを示すフローチャート
【図５】コンテンツ配信処理の流れを示すフローチャート
【符号の説明】
【００２７】
１００：アルバム作成装置、２００：プリンタ、３００：携帯電話機、４００：コンテンツ登録配信装置、５００：アルバム
【図１】
2006099456.tif 000003
【図２】
2006099456.tif 000004
【図３】
2006099456.tif 000005
【図４】
2006099456.tif 000006
【図５】
2006099456.tif 000007